(57)【要約】【課題】照明負荷の玉切れを発見し易くしてメンテナンス性の向上を図る。【解決手段】信号処理部３は、照明負荷Ｌの点灯を指示する情報を監視データとして伝送処理装置１００へ伝送した後に照明負荷Ｌが点灯状態か否かを監視し、点灯状態であれば照度検出部１の検出照度が所定値を超えたか否かを判断して、検出照度が所定値を超えていなければ玉切れと判断する。かかる照明負荷Ｌの玉切れを検出したら、信号処理部３により玉切れを知らせる監視データを伝送処理装置１００に送信することによって、照明負荷Ｌの玉切れを発見し易くしてメンテナンス性の向上が図れる。【選択図】        図１
2005063804.tif 000002
【特許請求の範囲】
【請求項１】
監視用端末器及び制御用端末器を２線式の信号線を介して伝送処理装置に接続し、この伝送処理装置からは各端末器を個別に呼び出すアドレスデータを含む伝送信号を信号線に時分割多重で送出することによって監視用端末器及び制御用端末器を個別にアクセスし、伝送信号に同期して設定した信号返信期間に監視用端末器からの監視データを受信すると、監視データに基づいて制御データを作成し、監視データを発生した監視用端末器に対応した制御用端末器に対して制御データを前記伝送信号により伝送し、当該制御用端末器では受信した制御データにより照明負荷を点滅制御する遠隔監視制御システムに用いられ、信号線を通して伝送処理装置との間で伝送信号を授受する送受信手段と、周囲照度を検出する照度検出手段と、照度検出手段により検出された周囲照度を予め設定されたしきい値と比較し周囲照度がしきい値を横切ったときに照明負荷を点滅させるための監視データを作成して送受信手段により伝送処理装置に送信させる制御手段と、照度検出手段で検出される周囲照度を所定値と比較することで照明負荷の玉切れを検出する玉切れ検出手段とを備え、制御手段は、玉切れ検出手段で玉切れを検出した場合に玉切れを知らせる監視データを作成して送受信手段により伝送処理装置に送信させることを特徴とする遠隔監視制御システムの照度センサ装置。
【請求項２】
しきい値を設定するしきい値設定手段と、しきい値設定手段で設定するしきい値よりも大きい明レベルしきい値、並びにしきい値よりも小さい暗レベルしきい値をしきい値のレベルに応じた複数の値で記憶する記憶手段とを備え、制御手段は、しきい値設定手段で設定したしきい値に応じた明レベルしきい値並びに暗レベルしきい値を記憶手段から読み出して設定し、照度検出手段により検出される周囲照度が下降しながら暗レベルしきい値を超えたときに照明負荷を点灯させるための監視データを作成して送受信手段により伝送処理装置に送信させ、照度検出手段により検出される周囲照度が上昇しながら明レベルしきい値を超えたときに照明負荷を消灯させるための監視データを作成して送受信手段により伝送処理装置に送信させることを特徴とする請求項１記載の遠隔監視制御システムの照度センサ装置。
【請求項３】
記憶手段に記憶する明レベルしきい値並びに暗レベルしきい値を書き換える書換手段を備えたことを特徴とする請求項２記載の遠隔監視制御システムの照度センサ装置。
【請求項４】
照度検出手段は、相対的に低い照度を検出するための低照度用の検出素子と、相対的に高い照度を検出するための高照度用の検出素子とを具備することを特徴とする請求項１又は２又は３記載の遠隔監視制御システムの照度センサ装置。
【発明の詳細な説明】
【技術分野】
【０００１】
本発明は、照明負荷を周囲照度に応じて点滅させるための遠隔監視制御システムの照度センサ装置に関するものである。
【背景技術】
【０００２】
従来より、照明負荷等の負荷を制御するようにした遠隔監視制御システムが提案されている。例えば、図１０に示すように、複数のスイッチＳを具備して各スイッチＳの操作状態を監視する複数個の監視用端末器１１０と、交流電源ＡＣから負荷（例えば、照明負荷）Ｌへの給電路を開閉するリモコンリレーＲＹを駆動制御する複数個の制御用端末器１２０と、後述するように無電圧接点出力を監視する監視用端末器（接点入力端末器）１３０を２線式の信号線Ｌｓを介して伝送処理装置１００に接続した遠隔監視制御システムが知られている。監視用端末器１１０，１３０及び制御用端末器１２０には、それぞれ個別のアドレスが設定され、このアドレスを用いて伝送処理装置１００が監視用端末器１１０，１３０及び制御用端末器１２０を個別に認識する。
【０００３】
伝送処理装置１００は信号線Ｌｓに対して、図１１（ａ）（ｂ）のようなフォーマットの伝送信号Ｖｓを送出する。すなわち、伝送信号Ｖｓは、信号送出開始を示すスタートパルスＳＴ、信号モードを示すモードデータ信号ＭＤ、監視用端末器１１０，１３０や制御用端末器１２０を各別に呼び出すためのアドレスデータを伝送するアドレスデータ信号ＡＤ、照明負荷Ｌを点滅制御する制御データを伝送する制御データ信号ＣＤ、伝送エラーを検出するためのチェックサムデータ信号ＣＳ、監視用端末器１１０，１３０や制御用端末器１２０からの返送データ信号を受信するタイムスロットである信号返送期間ＷＴよりなる複極（±２４Ｖ）の時分割多重信号であり、パルス幅変調によってデータが伝送されるようになっている。
【０００４】
各監視用端末器１１０，１３０および各制御用端末器１２０では、信号線Ｌｓを介して受信した伝送信号Ｖｓにより伝送されたアドレスデータがあらかじめ設定されているアドレスデータに一致すると、伝送信号Ｖｓから制御データを取り込むとともに、伝送信号Ｖｓの信号返送期間ＷＴに同期して返信データを電流モード信号（信号線Ｌｓの線間を適当な低インピーダンスを介して短絡することにより送出される信号）として返送する。
【０００５】
また、伝送処理装置１００には、ダミー信号送信手段および割り込み信号処理手段が設けられる。ダミー信号送信手段は、モードデータ信号ＭＤをダミーモードとしたダミー伝送信号を常時送出する。また、割り込み信号処理手段は、いずれかの監視用端末器１１０，１３０でスイッチＳの操作に伴って発生した図１１（ｃ）のような割り込み信号Ｖｉを受信したときに、割り込み信号Ｖｉを発生した監視用端末器１１０，１３０を検索し、その監視用端末器１１０，１３０に設定されているアドレスデータを返信データ（監視データ）として返送させる。すなわち、常時はダミー信号送信手段によってダミー伝送信号を信号線Ｌｓに送出し、スイッチＳの操作に伴って監視用端末器１１０，１３０から発生した割り込み信号Ｖｉをダミー伝送信号のスタートパルス信号ＳＴに同期して検出すると、伝送処理装置１００からは割り込み処理手段によってモードデータ信号ＭＤをアドレス確認モードとした伝送信号Ｖｓを信号線Ｌｓに送出する。各監視用端末器１１０，１３０では、割り込み信号Ｖｉを発生すると割り込みの要求を行う割り込みフラグを設定し、割り込みフラグが設定されている監視用端末器１１０，１３０ではモードデータ信号ＭＤがアドレス確認モードの伝送信号Ｖｓを受信すると、この伝送信号Ｖｓの信号返送期間ＷＴに同期して監視用端末器１１０，１３０に設定されているアドレスデータを返信データ（監視データ）として返送する。このようにして伝送処理装置１００では割り込み信号Ｖｉを発生した監視用端末器１１０，１３０のアドレスを獲得することができる。
【０００６】
伝送処理装置１００では、割り込み信号Ｖｉを発生した監視用端末器１１０，１３０のアドレスを獲得すると、スイッチＳに対する対応関係があらかじめ設定されている照明負荷Ｌを接続した制御用端末器１２０に伝送する制御データを生成するとともに、その制御データを含む伝送信号Ｖｓを信号線Ｌｓに送出し、対応する制御用端末器１２０に制御データを伝送してリモコンリレーＲＹを駆動することにより照明負荷Ｌを点滅する制御を行う。尚、監視用端末器１１０，１３０や制御用端末器１２０では、それぞれ信号線Ｌｓを伝送されている伝送信号Ｖｓを全波整流し安定化することによって内部回路の動作用の電源を得るようになっている。制御用端末器１２０に接続される照明負荷Ｌについては別途に電源（例えば、交流電源ＡＣ）を設けている。また、リモコンリレーＲＹや制御用端末器１２０の動作電線（交流２４Ｖ）は、リモコントランス１４０により交流電源ＡＣから作成されて供給されている。
【０００７】
この種の遠隔監視制御システムでは、監視用端末器１１０，１３０のアドレスと制御用端末器１２０のアドレスとの対応関係を伝送処理装置１００で管理しており、１台の監視用端末器１１０，１３０のアドレスを１台の制御用端末器１２０のアドレスに対応付けるだけでなく、１台の監視用端末器１１０，１３０のアドレスを複数台の制御用端末器１２０のアドレスに対応付けることも可能であって、後者のようにアドレスを設定すれば、例えば、１回路のスイッチによって複数回路の照明負荷Ｌを一括して制御することが可能になる。この種の制御を一括制御と呼んでおり、特に、複数の照明負荷Ｌを同じ制御状態に制御する一括制御をグループ制御と呼び、複数の照明負荷Ｌをあらかじめ個々に設定した制御状態（調光レベル）に制御する一括制御をパターン制御と呼んでいる。尚、１台の監視用端末器１１０，１３０のアドレスを１台の制御用端末器１２０のアドレスに対応付けて個々の監視用端末１１０，１３０で各々一つの照明負荷Ｌを点滅する制御は個別制御と呼ばれる。
【０００８】
一方、図１２に示すように窓から入射する太陽光などの自然光の影響を考慮し、照明負荷により照明される被照射面（例えば、机上面のような作業面）Ｐの照度を適正なレベルに保つ目的で周囲照度に応じて照明負荷を点滅する制御を自動化したい場合がある。このような要求を満たすために、従来より周囲照度を検出して無電圧接点出力を発生する照度センサ装置１５０を監視用端末器１３０に接続し、照度センサ装置１５０の無電圧接点出力に応じた監視データを監視用端末器１３０において発生させるようにしている（図１０参照）。すなわち、照度センサ装置１５０の検出照度が所定のしきい値以下となったときに監視用端末器１３０から伝送処理装置１００に監視データを送信して制御用端末器１２０を介してリモコンリレーＲＹを駆動し照明負荷Ｌを点灯させ、反対に照度センサ装置１５０の検出照度が所定のしきい値を超えたときに監視用端末器１３０から伝送処理装置１００に監視データを送信して制御用端末器１２０を介してリモコンリレーＲＹを駆動し照明負荷Ｌを消灯するような制御を行うことができる（特許文献１参照）。尚、このような照度センサ装置１５０は周囲照度を検出する検出部や無電圧接点出力を発生する回路部などを器体に納装して構成されており、この器体を天井に設けられた埋込孔に挿入して天井面に埋込配設されていた。また、照度センサ装置１５０の機能を入切するためのスイッチ１５１が監視用端末器１３０と照度センサ装置１５０との間に専用の配線で接続されていた。
【特許文献１】特開２００１−３３８７７２号公報
【発明の開示】
【発明が解決しようとする課題】
【０００９】
ところで、照度センサ装置１５０を用いた遠隔監視制御システムで照明負荷を遠隔制御する場合、照明負荷の玉切れ（光源の寿命）が発見しづらいという問題があった。
【００１０】
本発明は上記事情に鑑みて為されたものであり、その目的は、照明負荷の玉切れを発見し易くしてメンテナンス性の向上が図れる遠隔監視制御システムの照度センサ装置を提供することにある。
【課題を解決するための手段】
【００１１】
請求項１の発明は、上記目的を達成するために、監視用端末器及び制御用端末器を２線式の信号線を介して伝送処理装置に接続し、この伝送処理装置からは各端末器を個別に呼び出すアドレスデータを含む伝送信号を信号線に時分割多重で送出することによって監視用端末器及び制御用端末器を個別にアクセスし、伝送信号に同期して設定した信号返信期間に監視用端末器からの監視データを受信すると、監視データに基づいて制御データを作成し、監視データを発生した監視用端末器に対応した制御用端末器に対して制御データを前記伝送信号により伝送し、当該制御用端末器では受信した制御データにより照明負荷を点滅制御する遠隔監視制御システムに用いられ、信号線を通して伝送処理装置との間で伝送信号を授受する送受信手段と、周囲照度を検出する照度検出手段と、照度検出手段により検出された周囲照度を予め設定されたしきい値と比較し周囲照度がしきい値を横切ったときに照明負荷を点滅させるための監視データを作成して送受信手段により伝送処理装置に送信させる制御手段と、照度検出手段で検出される周囲照度を所定値と比較することで照明負荷の玉切れを検出する玉切れ検出手段とを備え、制御手段は、玉切れ検出手段で玉切れを検出した場合に玉切れを知らせる監視データを作成して送受信手段により伝送処理装置に送信させることを特徴とする。
【００１２】
この発明によれば、例えば、周囲照度がしきい値を横切って照明負荷を点灯させるための監視データを伝送処理装置に送信したにもかかわらず照度検出手段で検出する周囲照度が所定値を超えなければ照明負荷の玉切れが発生しているものと見なすことができ、かかる照明負荷の玉切れを玉切れ検出手段で検出したら制御手段により玉切れを知らせる監視データを伝送処理装置に送信することによって、照明負荷の玉切れを発見し易くしてメンテナンス性の向上が図れる。
【００１３】
請求項２の発明は、請求項１の発明において、しきい値を設定するしきい値設定手段と、しきい値設定手段で設定するしきい値よりも大きい明レベルしきい値、並びにしきい値よりも小さい暗レベルしきい値をしきい値のレベルに応じた複数の値で記憶する記憶手段とを備え、制御手段は、しきい値設定手段で設定したしきい値に応じた明レベルしきい値並びに暗レベルしきい値を記憶手段から読み出して設定し、照度検出手段により検出される周囲照度が下降しながら暗レベルしきい値を超えたときに照明負荷を点灯させるための監視データを作成して送受信手段により伝送処理装置に送信させ、照度検出手段により検出される周囲照度が上昇しながら明レベルしきい値を超えたときに照明負荷を消灯させるための監視データを作成して送受信手段により伝送処理装置に送信させることを特徴とする。
【００１４】
この発明によれば、しきい値設定手段でしきい値を設定すれば明レベルしきい値並びに暗レベルしきい値が自動的に設定されるから、明レベルしきい値及び暗レベルしきい値を設定するための操作部材を設ける必要がなくなって照度センサ装置の小型化が図れるとともに、明レベルしきい値及び暗レベルしきい値の設定に要する手間を省くことができる。
【００１５】
請求項３の発明は、請求項２の発明において、記憶手段に記憶する明レベルしきい値並びに暗レベルしきい値を書き換える書換手段を備えたことを特徴とする。
【００１６】
この発明によれば、設置場所などの条件に応じて明レベルしきい値及び暗レベルしきい値を適宜変更することが可能であり、明レベルしきい値及び暗レベルしきい値を適切な値に設定して使い勝手の向上が図れる。
【００１７】
請求項４の発明は、請求項１又は２又は３の発明において、照度検出手段は、相対的に低い照度を検出するための低照度用の検出素子と、相対的に高い照度を検出するための高照度用の検出素子とを具備することを特徴とする。
【００１８】
この発明によれば、低い照度から高い照度までを高精度で検出することができる。
【発明の効果】
【００１９】
本発明によれば、例えば、周囲照度がしきい値を横切って照明負荷を点灯させるための監視データを伝送処理装置に送信したにもかかわらず照度検出手段で検出する周囲照度が所定値を超えなければ照明負荷の玉切れが発生しているものと見なすことができ、かかる照明負荷の玉切れを玉切れ検出手段で検出したら制御手段により玉切れを知らせる監視データを伝送処理装置に送信することによって、照明負荷の玉切れを発見し易くしてメンテナンス性の向上が図れるという効果がある。
【発明を実施するための最良の形態】
【００２０】
以下、図面を参照して本発明の実施形態を詳細に説明する。図５は本実施形態の照度センサ装置Ｘを含む遠隔監視制御システムのシステム構成の一例を示している。
【００２１】
本実施形態の照度センサ装置Ｘは、図１に示すように照明負荷Ｌにより照明される被照射面（例えば、机上面などの作業面）の照度を検出する照度検出部１と、信号線Ｌｓを通して伝送処理装置１００との間で伝送信号Ｖｓを授受する送受信部２と、伝送信号Ｖｓの信号処理や全体の制御等を行う信号処理部３と、後述するモード選択スイッチ、設定記憶スイッチ並びにしきい値設定用の可変抵抗器の操作状態を監視するとともに操作状態に応じた操作入力を信号処理部３に与える操作入力部６と、操作入力部６からの操作入力の状況等を表示する表示部７とを備える。
【００２２】
照度検出部１は、相対的に低い照度を検出するための低照度用の検出素子であるホトダイオードと、相対的に高い照度を検出するための高照度用の検出素子であるＣｄＳとを具備し、ホトダイオードとＣｄＳの感度領域が重なる範囲の所定値よりも低い値についてはホトダイオードの検出値を採用し、所定値よりも高い値についてはＣｄＳの検出値を出力するようにしている。このように照度検出用の検出素子を低照度用と高照度用に分けたことによって、低い照度から高い照度までを高精度で検出することができるという利点がある。
【００２３】
信号処理部３はマイコンを主構成とし、ＥＥＰＲＯＭのような不揮発性メモリを用いたメモリ部４に格納されたアドレスデータをアドレスとして用いる。信号処理部３では、送受信部２を通して受信した伝送信号Ｖｓに含まれるアドレスデータＡＤがメモリ部４に格納されたアドレスデータに一致すると、伝送信号Ｖｓの制御データＣＤを受け取り、制御データＣＤに応じた動作をする。また、伝送信号Ｖｓを受信したことを送受信部２を通して信号線Ｌｓに送出する。メモリ部４には、別に設けた設定器（図示せず）からの赤外線の光ワイヤレス信号によりデータを書き込むことができるようにしてある。このため、光ワイヤレス信号を送受するワイヤレス信号送受信部５が設けられている。したがって、設定器では光ワイヤレス信号の授受によってメモリ部４にアドレスデータを書き込むだけではなく、メモリ部４に格納されているアドレスデータの確認や修正も可能になる。なお、照度センサ装置Ｘの電源は、伝送信号Ｖｓを整流して安定化する電源回路部８から供給される。
【００２４】
信号処理部３は、照度検出部１による検出照度を監視しており、照度検出部１による検出照度が後述するしきい値を横切ったとき、すなわち、検出照度がしきい値よりも大きくなるか若しくは小さくなったときに監視データを作成して送受信部２より信号線Ｌｓを介して伝送処理装置１００に送信するようになっている。具体的に説明すると、信号処理部３は、照度検出部１による検出照度を監視し、検出照度としきい値との大小関係を判定し、検出照度がしきい値よりも大きくなったときには割込信号を発生させた後に照明負荷Ｌの消灯を指示する情報を監視データとして伝送処理装置１００へ伝送信号Ｖｓの信号返送期間ＷＴに返送し、検出照度がしきい値よりも小さくなったときには割込信号を発生させた後に照明負荷Ｌの点灯を指示する情報を監視データとして伝送処理装置１００へ伝送信号Ｖｓの信号返送期間ＷＴに返送する。また、伝送処理装置１００は照度センサ装置Ｘと制御用端末器１２０とをアドレスの関係によって対応付けた関係テーブルを有しており、照度センサ装置Ｘから情報が返送されると、関係テーブルによって対応付けられた制御用端末器１２０に対して照明負荷Ｌへの給電路を開閉するリモコンリレーＲＹを駆動するための制御データＣＤを伝送するのである。
【００２５】
上述のような構成を有する照度センサ装置Ｘは、図２及び図３に示すような合成樹脂製の器体４０を備える。この器体４０は、天井面に取り付けることを考慮したものであり、直方体状であって一面が開口したボディ４１と、ボディ４１の開口を覆う形でボディ４１に結合される円板状のカバー４２とを備え、カバー４２の表面には円板状の化粧プレート４３が着脱自在に装着される。ボディ４１とカバー４２とは、ボディ４１の開口側周縁より突設された複数の係合片４４をカバー４２に設けられた複数の組立脚４５に貫設されている係合孔４５ａの周縁に各々係合させることにより結合される。また、カバー４２の外周面には複数の突起４６が形成されるとともに、この突起４６に係合する複数の凹所（図示せず）が化粧プレート４３の周壁の内側面に形成されていて、化粧プレート４３はカバー４２に対して凹凸係合により着脱自在に結合される。
【００２６】
ボディ４１の内部空間には、図１に示す各部を構成する回路要素が実装された回路基板４７が納装されている。また、回路基板４７には信号線Ｌｓを接続するための端子部４８も実装される。さらに、回路基板４７の長手方向の一端部には、しきい値の設定や相関係数を求めるための照度初期値（後述する）を入力するのに用いる２つの可変抵抗器４９Ａ，４９Ｂ並びに発光ダイオードからなる表示素子５０Ａ，５０Ｂが実装され、他端部には、後述するモード選択スイッチ５１としてのスライドスイッチ、相関係数を記憶させるための設定記憶スイッチ５２としての押釦スイッチ、ワイヤレス信号送受信部５が具備する発光素子５ａと受光素子５ｂ、並びにワイヤレス信号送受信部５におけるワイヤレス信号の送受信状況や相関係数の設定状況を表示する表示素子５３が実装されている。
【００２７】
ところで、照度検出部１は、半球状の受光ボディ６１ａと、受光ボディ６１ａの開口側に覆着される透光性材料よりなる受光カバー６１ｂとにより形成された受光球６１に納装され、リード線（図示せず）にて回路基板４７に実装された回路要素と接続されている。なお、受光カバー６１ｂは周囲光が透過し、かつ照度検出部１が具備する検出素子１ａの受光面に特定の像が形成されないようにレンズアレイないし乳白色の合成樹脂により形成するようにすればよい。この受光球６１は、カバー４２の中央部に形成した開口窓５４とボディ４１に固定される受光球押さえ６２との間に挟持され、器体４０内の定位置に固定される。
【００２８】
受光球押さえ６２は開口内に受光球６１が嵌められる環状のリング部６３と、リング部６３の外周面に設けられた一対の略Ｔ状の保持部６４とから成り、一対の保持部６４はリング部６３の中心に対して対称に配置されている。このような受光球押さえ６２は、特許文献１にも記載されているように従来周知であって、リング部６３の開口内に受光球６１が嵌められた状態で受光球押さえ６２がボディ４１に固定されるようになっており、受光球押さえ６２とカバー４２の裏面との間で受光球６１が回動自在に挟持され、後述するように本実施形態を天井等に配設した後で、受光球６１を回動させることにより照度の検出範囲を可変することができるようになっている。
【００２９】
また、カバー４２には可変抵抗器４９Ａ，４９Ｂの操作摘みを露出させるための透孔５６，５７や、モード選択スイッチ５１や設定記憶スイッチ５２の操作摘みを露出させるための透孔（図示せず）、並びに表示素子５０Ａ，５０Ｂ、５３や発光素子５ａ及び受光素子５ｂを露出させるための透孔（図示せず）が形成されている。さらに、カバー４２には器体４０を天井面などに固定する際に取付用のねじを挿入するための取付孔５９が開口窓５４に対して対称な位置に形成されている。
【００３０】
化粧プレート４３には、カバー４２の開口窓５４に対応する部位に円形の開口窓４３ａが形成される。しかして、化粧プレート４３をカバー４２に装着した状態では可変抵抗器４９Ａ，４９Ｂ等の操作摘みや表示素子５０Ａ，５０Ｂ等は全て化粧プレート４３により覆われるのである。
【００３１】
ところで、本実施形態は以下に説明する従来周知の取付具７０により天井に配設される。この取付具７０は、合成樹脂により形成され一側面が開口した縦長の本体７１と、本体７１の底部を下方から貫通し先端が本体７１の天井部に回転自在に保持されたねじ体７２と、ねじ体７２のねじ部をねじ孔に螺入させた金属製の挟み金具７３とで構成されており、ねじ体７２の締め付けに伴ってカバー４２に近付く向きに移動する挟み金具７３の先端部を天井の上面に当てることにより、挟み金具７３とカバー４２との間に天井（天井を構成する天井材）イを挟持して、天井にカバー４２を固定するものである。
【００３２】
上述した照度センサ装置Ｘを使用するに当たっては、図５に示すように信号線Ｌｓを端子部４８に結線することで伝送処理装置１００に接続する。また、信号線Ｌｓには従来技術で説明したようにスイッチＳ１，Ｓ２の状態を監視する監視用端末器１１０や制御用端末器１２０も接続される。ここで、図５に示した監視用端末器１１０は照度センサ装置Ｘと対応付けられた照明負荷Ｌを強制的に点滅させる際に操作されるスイッチＳ１と、照度センサ装置Ｘの機能を入切する、すなわち、照度センサ装置Ｘが伝送処理装置１００に対して監視データを送信するか否かを切り換える際に操作されるスイッチＳ２とを備えている。
【００３３】
次に、図６に示すように室内の窓際の天井に照度センサ装置Ｘを施工し、同じ室内の天井に配設されている照明負荷（照明器具）Ｌの直下に置かれている机Ｄの机上面を被照射面とし、照度センサ装置Ｘに対して相関係数を設定する初期設定並びにしきい値を設定するしきい値設定の各設定手順について説明する。
【００３４】
まず、照明負荷Ｌを消灯した状態で被照射面（机上面）の照度Ａを照度計を用いて測定する。それから、カバー３の前面に露出しているモード選択スイッチ５１を操作して「初期設定」の位置に合わせる。すると、モード選択スイッチ５１の操作状態を監視している操作入力部６から信号処理部３に対して初期設定のモードに設定されたことを示す操作入力が与えられ、信号処理部３では初期設定の処理を開始する。それから、一方の可変抵抗器５９Ａの操作摘みを操作し、図７に示すように操作摘みに設けられている指標Ｍを、カバー３前面に記されている初期設定用の照度値の目盛のうちで照度計で測定した被照射面の照度Ａの値に略一致した目盛に合わせる。このとき、他方の可変抵抗器５９Ｂは操作摘みに設けられている指標を最小目盛に合わせておく。続いて、設定記憶スイッチ５２を約１秒間だけ押操作すれば、設定記憶スイッチ５２の操作状態を監視している操作入力部６から信号処理部３に対して操作入力が与えられる。この操作入力を受け取った信号処理部３では、操作入力部６より可変抵抗器５９Ａの抵抗値に対応した操作入力を取り込み、その操作入力を被照射面の照度Ａに換算して記憶するとともに、照度検出部１から取り込んだ検出照度Ｂを被照射面の照度Ａで除算することにより相関係数Ｃ（＝Ｂ／Ａ）を算出してメモリ部４に記憶する。このとき、設定記憶スイッチ５２が押操作されて相関係数Ｃをメモリ部４に記憶するまでの間、すなわち、信号処理部３が初期設定の処理を実行している間、信号処理部３は表示部７を制御して表示素子５３を点滅させ、相関係数Ｃの記憶が正常に終了したら表示素子５３を消灯する。なお、上述の手順は一箇所の被照射面の照度Ａについて相関係数Ｃを設定する場合であって、二箇所の被照射面の照度Ａ１，Ａ２について各々相関係数Ｃ１，Ｃ２を設定する場合には、２つの可変抵抗器５９Ａ，５９Ｂでそれぞれの被照射面の照度Ａ１，Ａ２を入力して個々の相関係数Ｃ１，Ｃ２を設定することができる。
【００３５】
次にしきい値設定の手順を説明する。上述の初期設定が終了した後、図示しない設定器を用いて照度センサ装置Ｘにアドレスの設定を行う。例えば、それぞれに目標照度（しきい値）が設定される二箇所の被照射面をそれぞれ照明する１乃至複数の照明負荷Ｌを個別制御又はグループ制御する場合には、一方のしきい値に対するアドレスと他方のしきい値に対するアドレスの双方を設定する。続いて、可変抵抗器５９Ａ，５９Ｂの操作摘みを操作し、被照射面の目標照度（しきい値）に対応する目盛に操作摘みの指標Ｍを合わせる。その後、モード選択スイッチ５１を操作して「通常」の位置に合わせると、操作入力部６から信号処理部３に対して通常動作のモードに設定されたことを示す操作入力が与えられ、信号処理部３では操作入力部６より可変抵抗器５９Ａ，５９Ｂの抵抗値に対応した操作入力をそれぞれ取り込み、それらの操作入力を各々の被照射面の照度Ａ１，Ａ２に換算しメモリ部４に記憶して初期設定並びにしきい値設定の処理を終了する。
【００３６】
通常動作モードにおける信号処理部３は、既に説明したように照度検出部１による検出照度を監視し、検出照度がしきい値を横切ったときに監視データを作成して送受信部２より信号線Ｌｓを介して伝送処理装置１００に送信し、伝送処理装置１００が関係テーブルによって照度センサ装置Ｘに対応付けられた制御用端末器１２０に対して制御データＣＤを伝送し、制御用端末器１２０にてリモコンリレーＲＹを駆動することにより給電路を開閉して照明負荷Ｌを点滅するのである。具体的に説明すると、二箇所の被照射面に対してそれぞれしきい値Ｔｈ１，Ｔｈ２が設定され、それぞれの被照射面に対応する照明負荷Ｌのアドレス（個別制御又はグループ制御のアドレス）Ｇ１，Ｇ２が設定されているものとする。ここで、信号処理部３では、図８に示すようにしきい値Ｔｈ１，Ｔｈ２に対してそれぞれしきい値Ｔｈ１，Ｔｈ２よりも大きいレベルの明レベルしきい値Ｔｈ１ａ，Ｔｈ２ａと、しきい値Ｔｈ１，Ｔｈ２よりも小さいレベルの暗レベルしきい値Ｔｈ１ｂ，Ｔｈ２ｂを、記憶手段たるメモリ部４から読み出してそれぞれ設定し、検出照度が明レベルしきい値Ｔｈ１ａ，Ｔｈ２ａと暗レベルしきい値Ｔｈ１ｂ，Ｔｈ２ｂとの間にあるときは、例え検出照度がしきい値Ｔｈ１，Ｔｈ２を横切っても監視データを作成しないようになっている。
【００３７】
そして、信号処理部３は、照度検出部１による検出照度を監視し、検出照度と明レベルしきい値Ｔｈ１ａ，Ｔｈ２ａ並びに暗レベルしきい値Ｔｈ１ｂ，Ｔｈ２ｂとの大小関係を判定し、検出照度が上昇しながら明レベルしきい値Ｔｈ１ａ（又はＴｈ２ａ）を超えたときには、検出照度が所定の遅延時間（例えば、５分間）以上継続して明レベルしきい値Ｔｈ１ａ（又はＴｈ２ａ）を超えている場合にだけ割込信号を発生させた後にアドレスＧ１（又はＧ２）に対応する照明負荷Ｌの消灯を指示する情報を監視データとして伝送処理装置１００へ伝送信号Ｖｓの信号返送期間ＷＴに返送する。一方、検出照度が下降しながら暗レベルしきい値Ｔｈ１ｂ（又はＴｈ２ｂ）を超えたときには、信号処理部３は検出照度が所定の遅延時間（例えば、５分間）以上継続して暗レベルしきい値Ｔｈ１ｂ（又はＴｈ２ｂ）を超えている場合にだけ割込信号を発生させた後にアドレスＧ１（又はＧ２）に対応する照明負荷Ｌの点灯を指示する情報を監視データとして伝送処理装置１００へ伝送信号Ｖｓの信号返送期間ＷＴに返送する。これにより、二箇所の被照射面の照度をそれぞれ目標照度（しきい値）にほぼ一致させるように各アドレスＧ１，Ｇ２に対応する照明負荷Ｌを個別に点滅制御することができる。ここで、しきい値Ｔｈ１，Ｔｈ２に対して明レベルしきい値Ｔｈ１ａ，Ｔｈ２ａ並びに暗レベルしきい値Ｔｈ１ｂ，Ｔｈ２ｂを設けた理由は、検出照度がしきい値Ｔｈ１，Ｔｈ２を超えたから照明負荷Ｌを消灯させたところ、照明負荷Ｌが消灯した影響で検出照度がしきい値Ｔｈ１，Ｔｈ２を下回ってしまうような状況のもとでは、照明負荷Ｌが頻繁に点滅することとなって好ましくないから、これを防止するためである。同様に遅延時間を設定したのは、周囲照度が短時間だけ瞬間的に変化した場合に照明負荷Ｌが頻繁に点滅することとなって好ましくないから、これを防止するためである。
【００３８】
ここで、メモリ部４には任意のしきい値に対する明レベルしきい値並びに暗レベルしきい値を決めるための係数、例えば、しきい値が大きいとき（明るいとき）には小さい値、しきい値が小さいとき（暗いとき）には大きい値となる係数を、信号処理部３にてしきい値に乗じることで明レベルしきい値及び暗レベルしきい値を演算して設定するようにしている。すなわち、従来の照度センサ装置では、可変抵抗器等の操作部材を用いてしきい値に応じた明レベルしきい値及び暗レベルしきい値を設定する構成となっていたが、本実施形態では、しきい値を設定すれば明レベルしきい値並びに暗レベルしきい値が自動的に設定されるから、明レベルしきい値及び暗レベルしきい値を設定するための操作部材を設ける必要がなく、照度センサ装置の小型化が図れるとともに、明レベルしきい値及び暗レベルしきい値の設定に要する手間を省くことができる。尚、明レベルしきい値及び暗レベルしきい値を求めるための上記係数を設定器からの赤外線の光ワイヤレス信号によりメモリ部４に書き込むようにすれば、予めメモリ部４に格納されている係数（あるいは、暗レベルしきい値及び暗レベルしきい値そのものであってもよい）を設置場所などの条件に応じて適宜変更することが可能となり、明レベルしきい値及び暗レベルしきい値を適切な値に設定して使い勝手の向上が図れるようになる。
【００３９】
次に、本発明の要旨である照明負荷Ｌの玉切れ（光源の寿命）検出機能について説明する。
【００４０】
通常動作モードにおける信号処理部３は、図９のフローチャートに示すように照明負荷Ｌの点灯を指示する情報を監視データとして伝送処理装置１００へ伝送した後に照明負荷Ｌが点灯状態か否かを監視し、点灯状態であれば照度検出部１の検出照度が所定値（少なくとも暗しきい値よりも高いレベルに設定された値）を超えたか否かを判断して、検出照度が所定値を超えていなければ玉切れと判断する。すなわち、本実施形態では信号処理部３が玉切れ検出手段となる。ここで、信号処理部３における照明負荷Ｌの点灯状態の監視は、リレーＲＹを制御する制御用端末器１２０から伝送処理装置１００に対してリレーＲＹの動作状態を知らせるために送信される監視データをモニタすることで行われている。
【００４１】
玉切れを検出した信号処理部３は、割込信号を発生させた後に照明負荷Ｌの玉切れを示す情報を監視データとして伝送処理装置１００へ伝送信号Ｖｓの信号返送期間ＷＴに返送する。この監視データを受信した伝送処理装置１００では、例えば、玉切れ表示用に設けられた表示灯を点滅制御する制御用端末器（図示せず）に制御データを送信し、当該制御用端末器に表示灯を点灯させることで玉切れを報知するようにしている。
【００４２】
而して本実施形態によれば、検出照度がしきい値を横切って照明負荷Ｌを点灯させるための監視データを伝送処理装置１００に送信したにもかかわらず検出照度が所定値を超えなければ照明負荷Ｌの玉切れが発生しているものと見なし、かかる照明負荷Ｌの玉切れを検出したら、信号処理部３により玉切れを知らせる監視データを伝送処理装置１００に送信することによって、照明負荷Ｌの玉切れを発見し易くしてメンテナンス性の向上が図れるものである。
【図面の簡単な説明】
【００４３】
【図１】本発明の実施形態を示すブロック図である。
【図２】同上の分解斜視図である。
【図３】同上を示し、（ａ）は正面図、（ｂ）は背面図、（ｃ）は天井に取り付けた状態の側面図、（ｄ）は天井に取り付けた状態の他の側面図である。
【図４】同上の化粧プレートを取り外した状態の正面図である。
【図５】同上を含む遠隔監視制御システムのシステム構成図である。
【図６】同上の動作説明図である。
【図７】同上の動作説明図である。
【図８】同上の動作説明用のタイムチャートである。
【図９】同上の玉切れ検出に関する処理のフローチャートである。
【図１０】従来例を含む遠隔監視制御システムのシステム構成図である。
【図１１】遠隔監視制御システムの動作説明図である。
【図１２】従来例の動作説明図である。
【符号の説明】
【００４４】
１  照度検出部
２  送受信部
３  信号処理部
【図１】
2005063804.tif 000003
【図２】
2005063804.tif 000004
【図３】
2005063804.tif 000005
【図４】
2005063804.tif 000006
【図５】
2005063804.tif 000007
【図６】
2005063804.tif 000008
【図７】
2005063804.tif 000009
【図８】
2005063804.tif 000010
【図９】
2005063804.tif 000011
【図１０】
2005063804.tif 000012
【図１１】
2005063804.tif 000013
【図１２】
2005063804.tif 000014